(57)【要約】【課題】タイルの伸縮調整目地の機能およびＡＬＣ目地のシーリングの性能を十分に確保することができるＡＬＣパネルタイル張り伸縮調整目地構造の提供。【解決手段】ＡＬＣパネル間に打設されたＡＬＣパネル目地シーリング材、各タイル間に打設されたタイル目地シーリング材および、前記ＡＬＣパネル目地シーリング材とタイル目地シーリング材との間に、片面に粘着性を有する発泡プラスチック製目地材を設置して構成する。【選択図】      図１
2004346529.tif 000002
【特許請求の範囲】
【請求項１】
ＡＬＣパネルの表面にタイルを張り付ける施工における伸縮調整目地構造であって、各ＡＬＣパネル間に打設されたＡＬＣパネル目地シーリング材、各タイル間に打設されたタイル目地シーリング材および、前記ＡＬＣパネル目地シーリング材とタイル目地シーリング材との間に設置された発泡プラスチック製の目地材で構成された伸縮調整目地構造において、前記発泡プラスチック製の目地材の片面に粘着剤または両面粘着テープを設け、該発泡プラスチック製目地材を前記粘着剤または両面粘着テープにてＡＬＣパネル目地シーリング材に接着した構造となしたＡＬＣパネルタイル張り伸縮調整目地構造。
【発明の詳細な説明】
【０００１】
【発明が属する技術分野】
本発明は、ＡＬＣパネルにタイルを張り付ける施工における目地構造に係り、より詳しくはタイルの伸縮調整目地を有するＡＬＣパネルタイル張り施工における目地構造に関する。
【０００２】
【従来の技術】
ＡＬＣパネルにタイルを張り付ける場合は、温度変化や外力によって生じるタイル張り層の変位を吸収するために、ＡＬＣパネルの目地と一致するところにタイルの伸縮調整目地を確保しなければならない。この伸縮調整目地は、ＡＬＣパネルの目地の動きを拘束することなく、かつ、ＡＬＣパネル目地の動きをタイル面に伝達することのない構造とする必要がある。
従来、上記タイルの伸縮調整目地を設ける方法としては、ＡＬＣパネル間の目地材上に硬質の棒状のものを設置し、タイル張付け用モルタルを塗布した後、その棒状のものを撤去する方法（非特許文献１参照）、あるいはＡＬＣパネル目地上にタイル張付け用のモルタルを塗りつけないようにするため、充填後まもないＡＬＣパネル間の目地材上に発泡ポリエチレン等の目地材を設置し、タイル張付け用モルタルを塗布した後タイルを張り付け、最後にタイル間シーリングを施す方法（非特許文献２参照）等が知られている。
【０００３】
【非特許文献１】
ＡＬＣパネルパネル現場タイル張り工法指針（案）・同解説  日本建築仕上学会（平成９年４月発行）
【非特許文献２】
現場タイル張りにおけるＡＬＣパネル設計施工マニュアル（案）ＡＬＣ協会（平成１４年１月発行）
【０００４】
【発明が解決しようとする課題】
しかしながら、前記した従来の伸縮調整目地構造はいずれも、ＡＬＣパネル間の目地材上に設置する発泡ポリエチレン等の目地材、あるいは硬質の棒状の目地材を設置する場合に、その位置決めや固定に比較的多くの手間と時間がかかる上、ＡＬＣパネル間の目地材上に精度よく設置するのに熟練が要求される等の問題があった。
【０００５】
本発明は、上記した従来の問題を解決するためになされたもので、ＡＬＣパネル間の目地材上に設置する発泡ポリエチレン等の目地材に接着性を持たせることにより、当該目地材を熟練を必要とすることなく簡易迅速に、かつ精度よくＡＬＣパネル間の目地材上に設置することができる、ＡＬＣパネルタイル張り伸縮調整目地構造を提供しようとするものである。
【０００６】
【課題を解決するための手段】
本発明に係るＡＬＣパネルタイル張り伸縮調整目地構造は、各ＡＬＣパネル間に打設されたＡＬＣパネル目地シーリング材、各タイル間に打設されたタイル目地シーリング材および、前記ＡＬＣパネル目地シーリング材とタイル目地シーリング材との間に設置された発泡プラスチック製の目地材で構成された伸縮調整目地構造において、前記発泡プラスチック製の目地材の片面に粘着剤または両面粘着テープを設け、該発泡プラスチック製目地材を前記粘着剤または両面粘着テープにてＡＬＣパネル目地シーリング材に接着した構造となしたことを特徴とするものである。
ここで、発泡プラスチック製の目地材としては、発泡ポリエチレン製のものが一般的である。
【０００７】
【発明の実施の形態】
図１は本発明に係るＡＬＣパネルタイル張り伸縮調整目地構造の一実施例を示す断面図、図２は同上の伸縮調整目地構造における発泡プラスチック製目地材を拡大して示す断面図で、（ａ）は片面に粘着材を設けた発泡プラスチック製目地材、（ｂ）は片面に両面テープを貼着した発泡プラスチック製目地材であり、１はＡＬＣパネル、２はタイル、３はＡＬＣパネル目地材、４は発泡プラスチック製目地材、４−１は粘着材、４−２は両面テープ、５はタイル目地材、６は張り付けモルタルである。
【０００８】
すなわち、本発明の伸縮調整目地構造は、ＡＬＣパネル目地材３とタイル目地材５との間に、片面をＡＬＣパネル目地材３に接着させた発泡プラスチック製目地材４とで構成したもので、発泡プラスチック製目地材４は、図２に拡大して示すように、片面に粘着材４−１を設けたもの（ａ）、片面に両面テープ４−２を貼着したもの（ｂ）のいずれでもよい。なお、４−２ａはテープ基材、４−２ｂ、４−２ｃは粘着材である。
【０００９】
本発明の伸縮調整目地構造の施工手順は、従来と同様、まずＡＬＣパネル１間にＡＬＣパネル目地材３を充填する。このＡＬＣパネル間に使用する目地材（シーリング材）としては、例えばアクリル系シーリング材が用いられる。続いて、前記ＡＬＣパネル目地材３に前記発泡プラスチック製目地材４を接着する。この発泡プラスチック製目地材４の接着は、ＡＬＣパネル目地材３が硬化した後に行う。これは、発泡プラスチック製目地材４がＡＬＣパネル目地材３に埋没しないようにするためと、ＡＬＣパネル目地材３の硬化を損なわないようにするためである。次に、ＡＬＣパネル１の表面に張付けモルタル６を塗布してタイル２の張り付けを行う。そして、最後にタイル間にタイル目地材を充填してタイル伸縮目地の施工を完了する。
なお、発泡プラスチック製目地材４の大きさは、ＡＬＣパネルの目地の幅寸法に応じて適宜選択するが、通常は厚さ７〜１５ｍｍ、幅７〜１０ｍｍ程度のものが一般的である。
【００１０】
【発明の効果】
以上説明したごとく、本発明のＡＬＣパネルタイル張り伸縮調整目地構造は、片面に粘着性を有する発泡プラスチック製目地材を用いたことにより、熟練を要することなく発泡プラスチック製目地材の位置決めや固定を簡易迅速にかつ精度よく行うことができ、タイルの伸縮調整目地の機能およびＡＬＣ目地のシーリングの性能を十分に確保することができるという優れた効果を奏する。
【図面の簡単な説明】
【図１】本発明に係るＡＬＣパネルタイル張り伸縮調整目地構造の一実施例を示す断面図である。
【図２】同上の伸縮調整目地構造における発泡プラスチック製目地材を拡大して示す断面図で、（ａ）は片面に粘着材を設けた発泡プラスチック製目地材、（ｂ）は片面に両面テープを貼着した発泡プラスチック製目地材である。
【符号の説明】
１  ＡＬＣパネル
２  タイル
３  ＡＬＣパネル目地材
４  発泡プラスチック製目地材
４−１  粘着材
４−２  両面テープ
５  タイル目地材
６  張り付けモルタル
【図１】
2004346529.tif 000003
【図２】
2004346529.tif 000004